(57)【要約】【課題】本発明の目的は、ペン収納部の構造を簡単にするとともに、使いやすさの向上を図った電子機器を得ることにある。【解決手段】電子機器１は、筐体６を有する本体２と、本体２に支持される表示ユニット３と、筐体６に設けられるペン収納部１７と、ペン収納部１７に着脱自在に収納されるペン１５とを備える。ペン１５は、ペン本体部２１に片持ち支持されるとともにペン本体部２１に沿って延び、かつ、凸部２４が設けられるクリップ部２２を有する。ペン収納部１７は、ペン１５が収納されたときにペン本体部２１とクリップ部２２との間に位置するとともにペン１５の取り外し方向を向いて凸部２４が引っ掛かる係止部３７を有する。このペン収納部１７に収納されたペン１５は、表示ユニット３の表示画面１３ａと同じ方向を向く筐体６の側面８ａにおいて少なくともその一部が筐体８の外部に露出される。【選択図】      図３
2008084198.tif 000002
【特許請求の範囲】
【請求項１】
筐体を有する本体と、
上記本体に支持されるとともに、表示画面を有する表示ユニットと、
上記筐体に設けられるペン収納部と、
上記ペン収納部に着脱自在に収納され、上記表示画面に対して操作入力するためのペンと、を備える電子機器であって、
上記ペンは、ペン本体部と、上記ペン本体部に片持ち支持されるとともに上記ペン本体部に沿って延び、かつ、上記ペン本体部を向く凸部が設けられるクリップ部とを有し、
上記ペン収納部は、上記ペンが収納されたときに上記ペン本体部と上記クリップ部との間に位置するとともに上記ペンの取り外し方向を向いて上記凸部が引っ掛かる係止部を有し、かつ、このペン収納部に収納された上記ペンは、上記表示ユニットの表示画面と同じ方向を向く上記筐体の側面において少なくともその一部が上記筐体の外部に露出されることを特徴とする電子機器。
【請求項２】
請求項１に記載の電子機器において、
上記係止部は上記筐体と一体に形成された突起であることを特徴とする電子機器。
【請求項３】
請求項２に記載の電子機器において、
上記クリップ部は、上記凸部が上記係止部と対向して上記ペンが上記ペン収納部に保持される第１の姿勢と、上記凸部が上記係止部を避けて上記ペンが取り外し可能となる第２の姿勢との間で弾性変形可能であることを特徴とする電子機器。
【請求項４】
請求項３に記載の電子機器において、
上記ペン収納部は上記筐体内の周縁部に設けられ、上記筐体は上記ペン収納部に開口する切欠き部を有し、上記クリップ部は上記切欠き部に差し込まれるとともに上記切欠き部を通じて上記筐体の外部に露出されることを特徴とする電子機器。
【請求項５】
請求項４に記載の電子機器において、
上記クリップ部には指掛部が設けられ、上記クリップ部の延伸端と上記切欠き部の縁との間に形成される隙間は上記指掛部の大きさより小さいことを特徴とする電子機器。
【請求項６】
請求項３に記載の電子機器において、
上記ペン収納部は上記筐体内の周縁部に設けられ、上記筐体は上記ペン収納部に開口する切欠き部を有し、上記ペン本体部において上記切欠き部を通じて上記筐体の外部に露出される部位には指掛部が設けられることを特徴とする電子機器。
【請求項７】
請求項６に記載の電子機器において、
上記クリップ部は、上記ペンが収納されたときに上記切欠き部を外れた領域に対向することを特徴とする電子機器。
【請求項８】
筐体を有する本体と、
上記本体に支持されるとともに、表示画面を有する表示ユニットと、
上記筐体に設けられるペン収納部と、
上記ペン収納部に着脱自在に収納され、上記表示画面に対して操作入力するためのペンと、を備える電子機器であって、
上記ペンは、ペン本体部と、上記ペン本体部に沿って延びるクリップ部と、上記クリップ部の一端部を上記ペン本体部に連結する連結部とを有し、
上記ペン収納部は、上記ペンが収納されたときに上記ペンの取り外し方向を向いて上記連結部が対向する係止部を有するとともに、上記連結部が上記係止部に対向する第１の姿勢と上記連結部が上記係止部を外れる第２の姿勢との間で回動可能に上記ペンを保持し、かつ、このペン収納部に収納された上記ペンは、上記表示ユニットの表示画面と同じ方向を向く上記筐体の側面において少なくともその一部が上記筐体の外部に露出されることを特徴とする電子機器。
【発明の詳細な説明】
【技術分野】
【０００１】
本発明は、ペン収納部を備える電子機器に係り、特にペンを着脱自在に保持するペン収納部の構造に関する。
【背景技術】
【０００２】
近年、表示画面がタブレットとして機能し、キー以外にペンによっても文字や操作の入力が可能なポータブルコンピュータ（いわゆるタブレットＰＣ）が提供されている。タブレットＰＣは、タブレット入力用のペンと、そのペンを着脱自在に収納するペン収納部とを有する。
【０００３】
例えば特許文献１には、複数の方向からペンを収納・取り出し可能なペン収納構造が開示されている。このペン収納構造は、電子機器の筐体の一側面から隣接面に掛渡る様に形成された開口部を有する収納溝と、この収納溝の内部に設けられるとともにペンを弾性保持する保持手段とを備える。
【特許文献１】特開平１１−３０５９２８号公報
【発明の開示】
【発明が解決しようとする課題】
【０００４】
特許文献１に記載のペン収納構造は、上記収納溝の底部の一部を成す軸受部と、収納溝の壁面の一部を成すアームとを有する軸保持部とを備える。このアームは片持ち支持されるとともに、自由端側の先端が矢尻状に曲折した係止片となっている。
【０００５】
このような複雑なペン収納構造を有すると、ペン収納構造自体が大きなスペースを必要とするとともに、製品のコストアップに繋がる。一方、近年の電子機器は小型化及びコストダウンが要望されており、あまり複雑なペン収納構造を採用することは好ましくない。
【０００６】
本発明の目的は、ペン収納部の構造を簡単にするとともに、使いやすさの向上を図った電子機器を得ることにある。
【課題を解決するための手段】
【０００７】
上記目的を達成するため、本発明の一つの形態に係る電子機器は、筐体を有する本体と、上記本体に支持されるとともに表示画面を有する表示ユニットと、上記筐体に設けられるペン収納部と、上記ペン収納部に着脱自在に収納されるペンとを備える。上記ペンは、上記表示画面に対して操作入力するためのペンであって、ペン本体部と、上記ペン本体部に片持ち支持されるとともに上記ペン本体部に沿って延び、かつ、上記ペン本体部を向く凸部が設けられるクリップ部とを有する。上記ペン収納部は、上記ペンが収納されたときに上記ペン本体部と上記クリップ部との間に位置するとともに上記ペンの取り外し方向を向いて上記凸部が引っ掛かる係止部を有する。このペン収納部に収納された上記ペンは、上記表示ユニットの表示画面と同じ方向を向く上記筐体の側面において少なくともその一部が上記筐体の外部に露出される。
【発明の効果】
【０００８】
この構成によれば、簡単な構造でペンが保持可能であるとともに、電子機器の使いやすさの向上を図ることができる。
【発明を実施するための最良の形態】
【０００９】
以下に本発明の実施の形態を、ポータブルコンピュータに適用した図面に基づいて説明する。  
図１ないし図６は、本発明の第１の実施形態に係る電子機器としてのポータブルコンピュータ１を開示している。図１に示すように、ポータブルコンピュータ１は、本体２と表示ユニット３とを備えている。
【００１０】
本体２は、本体ベース４と本体カバー５とを有する。本体カバー５は、本体ベース４に上方から組み合わされる。これにより、本体２は、上壁７、周壁８、および下壁９を有する箱状の筐体６を備える。上壁７は、キーボード１０を支持している。周壁８は、上壁７の全周縁から延びており、ユーザーに向かい合う前周壁８ａ、前周壁８ａの左右端からそれぞれ延びる左右周壁８ｂ，８ｃ、およびポータブルコンピュータ１の背後側となる後周壁８ｄを有する。
【００１１】
表示ユニット３は、ディスプレイハウジング１２と、このディスプレイハウジング１２に収容された液晶表示モジュール１３とを備える。液晶表示モジュール１３は、例えば表示パネルとタッチパネルとが積層され、タブレット機能を有する。液晶表示モジュール１３は、表示画面１３ａを有する。表示画面１３ａは、ディスプレイハウジング１２の前面の窓部１２ａを通じてディスプレイハウジング１２の外部に露出している。ユーザーは、タブレット入力用のペン１５を用いて、表示画面１３ａから文字や操作の入力を直接行うことができる。
【００１２】
筐体６の後端部には、一対のヒンジ部１６ａ，１６ｂが設けられている。表示ユニット３は、ヒンジ部１６ａ，１６ｂを介して筐体６の後端部に支持されている。そのため、表示ユニット３は、上壁７を上方から覆うように倒される第１の姿勢（すなわち閉じ位置）と、上壁７および表示画面１３ａを露出させるように起立する第２の姿勢（すなわち開き位置）との間で回動可能である。これにより、表示ユニット３を第２の姿勢に起立させたとき、筐体６の前周壁８ａは表示画面１３ａと同じ方向を向く筐体側面となる。
【００１３】
図１に示すように、筐体６の左前端部にはペン収納部１７が設けられている。図３および図５に示すように、ペン収納部１７には、ペン１５（いわゆるタブレットペンまたはタッチペン）が着脱自在に収納される。ペン１５は、ペン本体部２１、クリップ部２２、および例えば二つの連結部２３ａ，２３ｂを有する。ペン本体部２１は、円筒状に形成された胴部２１ａと、この胴部２１ａの先端に設けられたペン先２１ｂとを有する。連結部２３ａ，２３ｂは、ペン先２１ｂが設けられた端部とは反対側の胴部２１ａの端部に設けられている。連結部２３ａ，２３ｂは、ペン本体部２１とクリップ部２２との間に配置されるとともに、両者を互いに連結している。二つの連結部２３ａ，２３ｂは、ペン本体部２１の軸心方向に互いに離れている。なお連結部２３ａ，２３ｂは、二つ設けられる必要はなく、一つだけ設けられても良い。
【００１４】
クリップ部２２は、ペン１５の軸心方向を向いてペン本体部２１に沿って延びている。クリップ部２２は、支持端部２２ａと延伸端部２２ｂとを有する。支持端部２２ａは、連結部２３ａ，２３ｂを介してペン本体部２１に連結され、ペン本体部２１に支持されている。一方、延伸端部２２ｂは自由端である。すなわちクリップ部２２は、ペン本体部２１に片持ち支持されている。
【００１５】
延伸端部２２ｂには、凸部２４が設けられている。凸部２４は、ペン本体部２１と対向するクリップ部２２の表面からペン本体部２１を向いて突出している。凸部２４の形状の一例は、半円形である。なお凸部２４の形状はこれに限らず、例えばクリップ部２２の延伸端をペン本体部２１に向けて折り曲げたもの良く、種々の形状を適宜採用することができる。クリップ部２２の一例は、金属材料または樹脂材料で形成され弾性を有する。
【００１６】
次に、ペン収納部１７について詳しく説明する。図３ないし図５に示すように、ペン収納部１７は、筐体６内の左前周縁部に設けられている。図２および図５に示すように、筐体６は、第１および第２の切欠き部３１，３２を有する。第１の切欠き部３１は、前周壁８ａの左端部に設けられ、ペン収納部１７に開口している。第１の切欠き部３１は、ペン１５を軸心方向に投影した外形に沿う形状に形成されている。
【００１７】
第１の切欠き部３１は、ペン１５をペン収納部１７に収納する挿入口として機能する。ペン１５は、第１の切欠き部３１を通じて、その軸心方向に沿ってペン収納部１７に挿入される。ペン１５をペン収納部１７に収納したとき、ペン１５の頭部２１ｃは筐体６の前周壁８ａと同じ位置または前周壁８ａから少し奥まったところに位置する。ペン１５の頭部２１ｃは、第１の切欠き部３１を通じて筐体６の外部に露出する。
【００１８】
第２の切欠き部３２は、左周壁８ｂの前端部に設けられ、同じくペン収納部１７に開口している。第２の切欠き部３２と第１の切欠き部３１は、互いに隣り合う周縁において連通している。そのため、第１および第２の切欠き部３１，３２は、互いに協働することで、前周壁８ａから左周壁８ｂに跨る一つの開口部３３を形成している。第２の切欠き部３２は、筐体６の厚さ方向（図６中、上下方向）の幅がペン１５のクリップ部２２の幅と略同じに形成されている。第２の切欠き部３２は、筐体６の奥行き方向（図５中、上下方向）の長さがペン１５のクリップ部２２の長さより大きく形成されている。
【００１９】
ペン収納部１７は、ペン１５が収納されたときにペン本体部２１に対応するペン本体収納部３５と、クリップ部２２に対応するクリップ収納部３６とに区画される。ペン本体収納部３５は、本体ベース４の一部で形成された底壁３５ａと、本体カバー５の一部で形成された天井壁３５ｂとを有する。底壁３５ａおよび天井壁３５ｂは、ペン１５の軸心方向に延びるとともに例えばペン本体部２１の外形に沿う円弧状または段差状の断面を有する。これにより、ペン収納部１７に収納されたペン１５は、その軸心方向に沿う移動を除く他方向への移動が規制される。ペン本体収納部３５に収納されたペン本体部２１は、その大部分が筐体６に覆われ、筐体６の外部には露出されない。
【００２０】
クリップ収納部３６の一部は、第２の切欠き部３２によって形成されている。すなわち第２の切欠き部３２によって切り欠かれた左周壁８ｂの領域がクリップ収納部３６の一部となっている。クリップ部２２は、第２の切欠き部３２の縁に案内されて、第２の切欠き部３２に差し込まれる。ペン１５を収納したとき、第２の切欠き部３２を通じてクリップ部２２の全体が筐体６の外部に露出される。図５に示すように、クリップ部２２の外面は、筐体６の外面と略同じ面上に位置する。これによりユーザーは筐体６の外部からクリップ部２２を触ることができる。クリップ収納部３６は、さらにクリップ部２２を案内するガイド壁３６ａを有する。
【００２１】
ペン収納部１７は、ペン本体収納部３５とクリップ収納部３６との間に係止部３７を有する。係止部３７の一例は、本体ベース４から本体カバー５を向いて突出した突起である。係止部３７の一例は、本体ベース４と一体に形成され、薄肉壁状をしている。ただし係止部３７の形状はこれに限らず、円柱状の突起や矩形状の突起であっても良く、また本体カバー５から突出する突起でも良く、その形状・種類は問わない。
【００２２】
ペン１５をペン収納部１７に収納したとき、係止部３７はペン本体部２１とクリップ部２２との間に突出する。クリップ部２２に設けられた凸部２４は、ペン１５の取り外し方向（すなわち反挿入方向）を向いて係止部３７に対向する。すなわちペン１５を取り外し方向に移動させようとすると凸部２４が係止部３７に引っ掛かかる。これにより、ペン１５の取り外し方向に沿う移動が規制される。
【００２３】
クリップ部２２の延伸端と第２の切欠き部３２の縁との間には、隙間Ｓ１が形成されている。この隙間Ｓ１は、例えばクリップ部２２の幅と同じ程度あり、ユーザーが指先を入れることができる。なお上述したようにクリップ部２２は、弾性を有する。クリップ部２２は、凸部２４が係止部３７に対向してペン１５の移動が規制される第１の姿勢と、凸部２４が係止部３７を避けてペン１５が取り外し可能となる第２の姿勢との間で弾性変形可能である。
【００２４】
次に、ポータブルコンピュータ１の作用について説明する。  
ペン収納部１７にペン１５を収納するときは、第１の切欠き部３１を挿入口としてその軸心方向に沿ってペン１５を挿入する。ペン本体部２１は、ペン本体収納部３５の底壁３５ａと天井壁３５ｂとの間に沿って奥まで案内される。クリップ部２２は、第２の切欠き部３２に差し込まれ、第２の切欠き部３２の縁に沿って奥まで案内される。
【００２５】
所定距離だけペン１５を挿入すると、クリップ部２２に設けられた凸部２４の先端がペン１５の挿入方向を向いて係止部３７に接する。凸部２４が係止部３７に接した状態でさらにペン１５に対して挿入方向の力を加えると、クリップ部２２が弾性変形を始めるとともに凸部２４がその形状に沿って係止部３７の側面３７ａに乗り上げる。クリップ部２２が上記第２の姿勢まで変形することで凸部２４は係止部３７を避けて、ペン１５はペン収納部１７のさらに奥まで挿入可能となる。
【００２６】
凸部２４の後端が係止部３７の側面３７ａを乗り越えると、クリップ部２２の弾性変形が解消されて、クリップ部２２が元の姿勢に復帰する。クリップ部２２が元の姿勢に復帰すると、クリップ部２２はペン１５の取り外し方向を向いて凸部２４が係止部３７に対向する第１の姿勢となり、ペン１５がペン収納部１７に保持される。
【００２７】
ペン収納部１７からペン１５を取り外すときは、例えばクリップ部２２の延伸端と第２の切欠き部３２の縁との間の隙間Ｓ１に指を入れて、クリップ部２２に対してペン１５の取り外し方向の力を加える。ペン１５に力を加えると、挿入時と同様にクリップ部２２は凸部２４が係止部３７の側面３７ａに乗り上げて凸部２４が係止部３７を避ける第２の姿勢まで弾性変形する。凸部２４が係止部３７の側面３７ａに乗り上げると、ペン１５はその軸心方向の規制が解除され、軸心方向に沿って自由に移動できるようになる。これにより、ユーザーはペン１５をペン収納部１７から取り外すことができる。
【００２８】
このような構成のポータブルコンピュータ１によれば、簡単な構造でペン１５を保持可能であるとともに、その使いやすさを向上させることができる。すなわち、入力用のペンとしてクリップ部２２を有するタイプのペン１５を採用すると、ユーザーはクリップ部２２を利用してペン１５を例えば胸ポケットに仕舞ったりノートに止めることなどができ、ペン１５としての使いやすさが向上する。これはポータブルコンピュータ１の使いやすさの向上に寄与する。
【００２９】
本実施形態に係るペン収納部１７は、ペン１５のクリップ部２２の有効利用を図ったものである。すなわちクリップ部２２に広く一般に設けられる凸部２４とクリップ部２２の弾性とを利用し、ペン収納部１７に凸部２４に引っ掛かる係止部３７を設けることでペン１５を保持することができる。したがって、筐体６にペン１５の収納エリアを確保すれば、例えばバネやフックのような特別な保持構造を設けることなくペン１５を保持することができる。このようにペン収納部１７の構造を簡単にできると、ペン１５を簡単な動作で確実に着脱させることができ、ポータブルコンピュータ１の使いやすさが向上する。さらにペン収納部１７の構造を簡単にできるとポータブルコンピュータ１のコストダウンおよび小型化を図ることができる。
【００３０】
例えば、係止部３７が筐体６と一体に形成されているとペン収納部１７の組立工程が必要無く、筐体６を組立てるとペン収納部１７もそれに伴い組み上がることになる。すなわち例えばバネやフックのような保持構造を有する場合に比べて、ポータブルコンピュータ１の組立性が向上する。
【００３１】
ペン収納部１７に収納されたペン１５の一部が筐体６の外部に露出される、すなわち外部から視認可能であると、ユーザーはペン収納部１７にペン１５が収納されているか否かを目で確認することができる。これはポータブルコンピュータ１の使いやすさの向上に寄与する。特に筐体６の前周壁８ａ（すなわち表示画面１３ａと同じ方向を向く側面）において、ペン１５の一部が露出する構造になっていると、ユーザーはその有無をとても確認しやすいため上記効果が大きくなる。
【００３２】
なお本実施形態に代えて、筐体６の右周壁８ｃまたは左周壁８ｂに第１の切欠き部３１（すなわちペン挿入口）を設けるとともに、前周壁８ａに第２の切欠き部３２が位置するようにしてももちろん同様の効果を発揮することができる。
【００３３】
クリップ部２２が上記第１の姿勢と上記第２の姿勢との間で変形可能であると、ペン本体部２１を例えば回動させることなく、凸部２４が係止部３７を乗り越えることができる。これはペン収納部１７の構造をさらに簡単にすることに寄与する。
【００３４】
クリップ部２２が第２の切欠き部３２を通じて筐体６の外部に露出されていると、ユーザーは、クリップ部２２に取り外し方向の力を加えることでペン１５を取り外すことができる。すなわち指を掛けるための特別な突起や、バネなどを用いた取外し機構を設ける必要が無く、ペン１５の構造およびペン収納部１７の構造を簡単にすることができる。
【００３５】
ペン１５は、クリップ部２２が第１の姿勢と第２の姿勢との間で弾性変形することで係止部３７を乗り越える。クリップ部２２は、第２の姿勢において筐体６の外側を向いて反ることになる。ここでクリップ部２２の全体が第２の切欠き部３２を通じて筐体６の外部に露出されていると、クリップ部２２が筐体６の構造（例えば周壁８）に邪魔されることなく筐体６の外側を向いて弾性変形することができる。換言すれば、クリップ部２２が筐体６の外側に露出されていないとクリップ部２２の弾性変形を許容するためのスペースを筐体６の内部に設ける必要があるが、本実施形態に係るペン収納部１７によればそのようなスペースを設ける必要がない。これはポータブルコンピュータ１の小型化に寄与する。
【００３６】
次に、本発明の第２の実施形態に係る電子機器としてのポータブルコンピュータ５１を、図７および図８を参照して説明する。なお第１の実施形態に係るポータブルコンピュータ１と同じ機能を有する構成は、同一の符号を付してその説明を省略する。ポータブルコンピュータ５１は、ペン収納部５２とペン５３とを有する。
【００３７】
本実施形態に係るペン５３は、クリップ部２２の外面に指掛部５４を有する。指掛部５４の一例は、小さな凹部と凸部が交互に設けられノコギリ状に形成されたセレーションである。ユーザーは、この指掛部５４に指を沿わせ、クリップ部２２に対してペン５３の挿入方向または取り外し方向の力を加えることができる。なお指掛部５４の構造はこれに限らず、例えば一つの凹部から形成されたものや、図１１に示すような一つの凸部から形成されたものでも良い。また指掛部５４の一例としては、クリップ部２２の少なくとも一部を表面粗さの大きな材質で形成することで指との摩擦を大きくするものでも良い。指掛部５４は、ユーザーが滑らずにペン５３に力を加えることができる種々の形状または材料であればその種類は問わない。
【００３８】
一方、クリップ部２２の延伸端と第２の切欠き部３２の縁との間の隙間Ｓ２は、指掛部５４の大きさより小さく形成される。隙間Ｓ２は例えばペン５３の軸心方向に沿う指掛部５４の長さより小さく形成される。例えば隙間Ｓ２の一例は、ユーザーの指の先端が入り込まない大きさに形成される。図８に示すように、隙間Ｓ２の一例は、クリップ部２２の幅ｔより小さく形成される。
【００３９】
このような構成のポータブルコンピュータ５１によれば、簡単な構造でペン５３を保持可能であるとともに、その使いやすさを向上させることができる。すなわち凸部２４に引っ掛かる係止部３７を設けることで、簡単な構造でペン５３を保持することができる。筐体６の前周壁８ａにおいてペン５３の一部が露出されると、ペン５３が収納されているか否かを目で確認することができ、ポータブルコンピュータ５１の使いやすさが向上する。
【００４０】
クリップ部２２はペン本体部２１に片持ち支持されているため、クリップ部２２はペン５３のなかで破損しやすい部分の一つである。例えばクリップ部２２に無理な力が加わった場合、クリップ部２２と連結部２３ａ，２３ｂとの境界が破断に至ることがある。本実施形態に係るポータブルコンピュータ５１は、ペン５３の損傷の防止を図った電子機器でもある。
【００４１】
すなわちクリップ部２２に指掛部５４が設けられると、ユーザーは指掛部５４に指を沿わせることでペン５３に取り外しのための力を加えることができる。ここでクリップ部２２の延伸端と第２の切欠き部３２の縁との間の隙間Ｓ２が指掛部５４より小さいと、ユーザーは隙間Ｓ２に指を入れずに、自然と指掛部５４に指を沿わせてペン５３に対して力を加えようとする。指掛部５４は、クリップ部２２の延伸端に比べて連結部２３ａ，２３ｂに近い部位に形成されている。このため隙間Ｓ１に指を入れてクリップ部２２を押す場合に比べて、指掛部５４を押す方がクリップ部２２と連結部２３ａ，２３ｂとの境界に無理な力が作用しにくい。したがってクリップ部２２の破損が生じにくく、ペン５３の損傷の防止を図ることができる。
【００４２】
例えば本実施形態のように、ペン５３のクリップ部２２に設けられた凸部２４を利用してペン５３の保持を達成している場合は、クリップ部２２の破損によってペン５３の保持ができなくなる事態が生じるおそれもある。そのため、クリップ部２２の破損を防止することはポータブルコンピュータ５１の使いやすさの向上に寄与することになる。
【００４３】
次に、本発明の第３の実施形態に係る電子機器としてのポータブルコンピュータ６１を、図９ないし図１１を参照して説明する。なお第１の実施形態に係るポータブルコンピュータ１と同じ機能を有する構成は、同一の符号を付してその説明を省略する。ポータブルコンピュータ６１は、ペン収納部６２とペン６３とを有する。
【００４４】
本実施形態に係るペン６３は、ペン本体部２１に指掛部５４を有する。指掛部５４の一例は、一つの凸部からなる突起である。指掛部５４は、例えばクリップ部２２が設けられる領域とは反対の領域に設けられている。なお指掛部５４としては、図８に示すようなセレーションでも良く、上述のような種々の形状・材料で形成することができる。
【００４５】
ペン収納部６２にペン６３を収納したとき、指掛部５４は第２の切欠き部３２を通じて筐体６の外部に露出される。ユーザーは、この指掛部５４に指を沿わせ、ペン６３にその挿入方向または取り外し方向の力を加えることができる。なお指掛部５４が形成される領域は、ペン６３が収納されたときに筐体６の外部に露出されユーザーが触れることができる部位であればその場所は問わない。
【００４６】
一方、クリップ部２２は、ペン本体部２１に比べて筐体６の内側に収容される。すなわちクリップ部２２は第２の切欠き部３２を外れた領域に対向する。このため、ペン６３を収納したときクリップ部２２はペン本体部２１の背後に隠れるので、ユーザーはクリップ部２２に触れることがない。クリップ収納部３６には、クリップ部２２が上記第１の姿勢と第２の姿勢との間で弾性変形が可能なように空間が形成されている。
【００４７】
このような構成のポータブルコンピュータ６１によれば、簡単な構造でペン６３を保持可能であるとともに、その使いやすさを向上させることができる。すなわち凸部２４に引っ掛かる係止部３７を設けることで、簡単な構造でペン６３を保持することができる。筐体６の前周壁８ａにおいてペン６３の一部が露出されると、ペン６３が収納されているか否かを目で確認することができ、ポータブルコンピュータ６１の使いやすさが向上する。
【００４８】
ペン本体部２１に指掛部５４を設けると、ユーザーは指掛部５４を利用してペン６３に力を加えることができるのでクリップ部２２が筐体６の外部に露出している必要がなくなる。すなわちクリップ部２２は筐体６内のどこに収容されても良い。これはポータブルコンピュータ６１の構造設計の自由度を向上させる。
【００４９】
クリップ部２２が第２の切欠き部３２を外れた領域に設けられると、ユーザーはクリップ部２２に対して力を加えることがない。したがってクリップ部２２と連結部２３ａ，２３ｂとの境界に無理な力が作用しにくく、クリップ部２２の破損が生じにくいポータブルコンピュータ６１を得ることができる。なお、クリップ部２２は指掛部５４の反対側に設けられる必要は無く、ペン本体部２１と上壁７との間、またはペン本体部２１と下壁８との間に位置するように設けられても良い。
【００５０】
次に、本発明の第４の実施形態に係る電子機器としてのポータブルコンピュータ７１を、図１２ないし図１４を参照して説明する。なお第１の実施形態に係るポータブルコンピュータ１と同じ機能を有する構成は、同一の符号を付してその説明を省略する。ポータブルコンピュータ７１は、ペン収納部７２とペン７３とを有する。
【００５１】
ペン収納部７２は、係止部３７を有する。係止部３７は、ペン７３を収納したとき、二つの連結部２３ａ，２３ｂの間に位置するように設けられている。係止部３７には、ペン７３の取り外し方向を向いて一つの連結部２３ｂが対向する。すなわちペン７３を取り外し方向に移動させようとすると、連結部２３ｂが係止部３７に引っ掛かる。これにより、ペン７３の取り外し方向の移動が規制される。
【００５２】
図１４に示すように、ペン収納部７２は、連結部２３ｂが係止部３７に対向する第１の姿勢と連結部２３ｂが係止部３７を外れる第２の姿勢との間で回動可能にペン７３を保持する。すなわちペン収納部７２は、ペン７３が上記第１の姿勢と第２の姿勢との間で回動可能な空間を有する。なお他方の連結部２３ａは無くても良い。
【００５３】
次に、ポータブルコンピュータ７１の作用について説明する。  
ペン収納部７２にペン７３を収納するときは、第１の切欠き部３１を挿入口としてその軸心方向に沿ってペン７３を挿入する。このときペン７３は第２の姿勢に保たれている。連結部２３ｂが係止部３７より奥まで挿入されると、ペン７３を第２の姿勢から第１の姿勢まで回動させる。ペン７３を第１の姿勢にすると連結部２３ｂが係止部３７に引っ掛かり、ペン７３がペン収納部７２に保持される。
【００５４】
ペン収納部７２からペン７３を取り外すときは、ペン７３を第２の姿勢まで回動させる。ペン７３は第２の姿勢になるとその軸心方向の規制が解除され、軸心方向に沿って自由に移動できるようになる。これにより、ユーザーはペン７３をペン収納部７２から取り外すことができる。
【００５５】
このような構成のポータブルコンピュータ７１によれば、簡単な構造でペン７３を保持可能であるとともに、その使いやすさを向上させることができる。すなわち連結部２３ｂに引っ掛かる係止部３７を設けることで、簡単な構造でペン７３を保持することができる。筐体６の前周壁８ａにおいてペン７３の一部が露出されると、ペン７３が収納されているか否かを目で確認することができ、ポータブルコンピュータ７１の使いやすさが向上する。
【００５６】
本実施形態に係るペン７３は、凸部２４ではなく連結部２３ｂを利用して保持される。すなわち誤ってクリップ部２２を破損してしまったペン７３によっても、連結部２３ｂがあればペン７３を保持・固定することができる。これはポータブルコンピュータ７１の使いやすさの向上に寄与する。
【００５７】
以上、第１ないし第４の実施形態に係るポータブルコンピュータ１，５１，６１，７１について説明したが、本発明はこれらに限定されるものではない。例えば各実施形態の構成要素は適宜選択して組み合わせて適用することができる。
【００５８】
ペン収納部１７，５２，６２，７２が筐体６の前周壁８ａに露出されていると、ペン１５，５３，６３，７３の有無を目で見て確認することができるので使いやすさが向上する。ただし、例えばペン収納部１７，５２，６２，７２の構造の単純化を目的としたポータブルコンピュータであれば、ペン収納部１７，５２，６２，７２は前周壁８ａの背後に設けられる必要はない。ペン収納部１７，５２，６２，７２は、例えば左右の周壁８ｂ，８ｃや後周壁８ｄ、または表示ユニット３の内部に設けても良い。  
本発明が適用可能な電子機器は、ポータブルコンピュータに限らず、例えばパーソナルデジタルアシスタント（ＰＤＡ）のような種々の電子機器に適用可能である。
【図面の簡単な説明】
【００５９】
【図１】本発明の第１の実施形態に係るポータブルコンピュータの斜視図。
【図２】第１の実施形態に係るペン収納部の斜視図。
【図３】第１の実施形態に係るポータブルコンピュータを一部断面で示す斜視図。
【図４】図３中に示されたペン収納部からペンを取り外した状態を示す斜視図。
【図５】第１の実施形態に係るポータブルコンピュータの断面図。
【図６】第１の実施形態に係るポータブルコンピュータの本体の正面図。
【図７】本発明の第２の実施形態に係るポータブルコンピュータの斜視図。
【図８】第２の実施形態に係るポータブルコンピュータの断面図。
【図９】本発明の第３の実施形態に係るポータブルコンピュータの斜視図。
【図１０】第３の実施形態に係るペンの斜視図。
【図１１】第３の実施形態に係るポータブルコンピュータの断面図。
【図１２】本発明の第４の実施形態に係るポータブルコンピュータを一部断面で示す斜視図。
【図１３】第４の実施形態に係るポータブルコンピュータの断面図。
【図１４】第４の実施形態に係るポータブルコンピュータの本体の正面図。
【符号の説明】
【００６０】
１，５１，６１，７１…ポータブルコンピュータ、２…本体、３…表示ユニット、６…筐体、８ａ…前周壁、１３ａ…表示画面、１５，５３，６３，７３…ペン、１７，５２，６２，７２…ペン収納部、２１…ペン本体部、２２…クリップ部、２３ａ，２３ｂ…連結部、２４…凸部、３１…第１の切欠き部、３２…第２の切欠き部、３７…係止部、５４…指掛部。
【図１】
2008084198.tif 000003
【図２】
2008084198.tif 000004
【図３】
2008084198.tif 000005
【図４】
2008084198.tif 000006
【図５】
2008084198.tif 000007
【図６】
2008084198.tif 000008
【図７】
2008084198.tif 000009
【図８】
2008084198.tif 000010
【図９】
2008084198.tif 000011
【図１０】
2008084198.tif 000012
【図１１】
2008084198.tif 000013
【図１２】
2008084198.tif 000014
【図１３】
2008084198.tif 000015
【図１４】
2008084198.tif 000016